(57)【要約】      （修正有）【課題】頭部への固定力が安定して高く、十分な増毛感が得られ、かつ、迷彩効果が高い増毛具を提供する。【解決手段】金属管１０と、当該金属管に固定した線材２０と、当該線材に取り付けた擬毛３０とからなる。線材２０は、金属管の周壁に巻き付けて第１結び目２１にて固定されるとともに、第１結び目２１から外方へ延在し自由端に至る延在部２５を有する。この延在部２５に擬毛３０が取り付けられる。金属管１０に頭部自毛を通しペンチで金属管１０を潰すと、金属管内周側に位置する線材２０が、通された頭部自毛に対してアンカー効果（すなわち、線材が自毛の束に入り込んで圧接する効果）を与え、これにより、安定して高い固定力が得られる。１つの増毛具において、金属管１０に固定する線材２０の本数、および各線材２０に取り付ける擬毛３０の量は高い自由度で設定可能であり、使用する増毛具の数との相乗効果により、十分な増毛量を実現できる。【選択図】図１
0003199415.tif 000002
【実用新案登録請求の範囲】
【請求項１】
塑性変形可能な管部材（１０）と、当該管部材に固定した線材（２０）と、当該線材に取り付けた擬毛（３０）とからなる増毛具であって、
上記線材（２０）は、管部材（１０）の周壁に巻き付けて第１結び目（２１）にて固定されるとともに、当該第１結び目（２１）から外方へ延在し自由端に至る延在部（２５）を有しており、
上記擬毛（３０）は、線材の上記延在部（２５）の長手方向に沿って間隔を置いた複数箇所に取り付けられていることを特徴とする、増毛具。
【請求項２】
上記線材の延在部（２５）は、自由端の近傍に第２結び目（２２）を有している、請求項１記載の増毛具。
【請求項３】
上記第１結び目（２１）が管部材（１０）の肉厚部上に位置している、請求項１または２記載の増毛具。
【請求項４】
上記管部材（１０）の周方向に間隔を置いて、上記線材（２０）が略平行に複数設けられている、請求項１〜３のいずれか１つに記載の増毛具。
【考案の詳細な説明】
【技術分野】
【０００１】
本考案は、着用者の自毛に固定して増毛効果を得る増毛具に関する。
【背景技術】
【０００２】
頭部自毛の脱毛による禿頭部を覆い隠す手段としては、カツラを使用するのが一般的である。しかし、頭部自毛の脱毛が初期の場合、自毛量が多いが故に、カツラを装着するとかえって不自然な外観になり、カツラを装着していることが判明し易くなる。また、この段階では自毛量が多いので、カツラ装着に対して強い抵抗感を持つ場合もある。
このような事情から、近年、ヘアファッションの１つであるヘアエクステンションを含め、頭部に残る自毛を活用した所謂増毛方法が多数提案されている（例えば、特許文献１〜３）。
【先行技術文献】
【特許文献】
【０００３】
【特許文献１】特開２００２−１９４６１２号
【特許文献２】特開平１０−５３９１２号
【特許文献３】特許第５３１８２９６号
【０００４】
特許文献１には、頭部に残存した自毛に対して、増毛用毛髪を直接結び付けることが開示されている。しかしながら、増毛用毛髪を頭部自毛に直接結び付けるので、増毛用毛髪の本数を多くすると、結び目が大きくなって不自然な外観になり易いという欠点や、本数を増やした場合に頭部自毛との結着力が低下して、増毛用毛髪が脱落し易いという欠点がある。
【０００５】
特許文献２には、金属管に頭部自毛と増毛用毛髪とを挿通してプライヤーで金属管を潰して固定するヘアアタッチメント方法が開示されている。この方法においては、自毛と増毛用毛髪（擬毛）の両方を金属管に挿通してプライヤーで潰すが故に、擬毛が金属管から脱落し易く、さらに擬毛が脱落して隙間が生じることで金属管の自毛に対する固定力が低下する、といった欠点がある。
【０００６】
特許文献３には、線材の長手方向に沿って増毛用毛髪（擬毛）を取り付けるとともに、当該線材の両端に設けた２つの金属管に頭部自毛を挿通して固定する増毛具が開示されている。２つの金属管の間に延在し擬毛が取り付けられた線材は、所定間隔で、頭部に残存した自毛を利用して結着固定される。
このような増毛態様では、増毛具を頭部に取り付けた後、一定期間が経過して頭部の自毛が伸びると、２つの金属管に挟まれた線材が緩んで不自然な外観を呈するようになる。また、緩んだ線材が洗髪やブラシング時に引っ掛かり易くなり、増毛具の破損、脱落に繋がるといった欠点がある。
【考案の概要】
【考案が解決しようとする課題】
【０００７】
上記従来の課題に鑑み、本考案の目的は、頭部への固定力が安定して高く、十分な増毛感が得られ、かつ、迷彩効果が高い増毛具を提供することである。
【課題を解決するための手段および考案の効果】
【０００８】
本考案の増毛具は、「塑性変形可能な管部材」と「当該管部材に固定した線材」と「当該線材に取り付けた擬毛」とからなる。
上記線材は、上記管部材の周壁に巻き付けて第１結び目にて固定されるとともに、当該第１結び目から外方へ延在し自由端に至る延在部を有する。上記擬毛は、線材の上記延在部に取り付けられる。
【０００９】
上記構成を備えた本考案の増毛具によれば、線材が塑性変形可能な管部材の周壁に巻き付けて結着固定されている。この管部材に頭部自毛を通した上でペンチ等を用いて潰すように塑性変形させると、管部材内周側に位置する線材が、通された頭部自毛に対してアンカー効果（すなわち、線材が自毛の束に入り込んで圧接する効果）を与る。すなわち、塑性変形した管部材自体の強度とアンカー効果との相乗効果により、安定して高い固定力を得ることができる。
また、１つの増毛具において、管部材に固定する線材の本数、および各線材に取り付ける擬毛の量は高い自由度で設定可能である。このため、使用する増毛具の数との相乗効果により、必要に応じて十分な増毛量を実現することが可能である。
【００１０】
特に、第１結び目を上記管部材の肉厚部上に位置させた場合には、次のようなメリットが得られる。すなわち、管部材を、第１結び目が頭部に近くなる姿勢として頭部自毛に通して固定すると、第１結び目を起点として、擬毛が屈曲して垂れ下って管部材の全体を覆い隠し、これにより自然な外観が得られる。そのための別途の管部材露見防止手段を施す必要もない。
【図面の簡単な説明】
【００１１】
【図１】本考案の一実施形態に係る増毛具を説明する図。
【図２】本考案の増毛具の好ましい構成を説明する図。
【図３】本考案の増毛具の装着方法を説明する図。
【考案を実施するための形態】
【００１２】
本考案の実施形態を、添付の図面を参照して以下に説明する。図１（ａ）は、本考案の一実施形態に係る増毛具を構成する管部材１０を示す斜視図である。詳細は後述するが、この管部材１０に対して、線材２０および擬毛３０を取り付けて、増毛具が構成される。
【００１３】
管部材１０は、頭部に残存した自毛を通した上で、ペンチ等で潰すことにより頭部に固定される。管部材１０の少なくとも外部から視認できる領域には、迷彩等を目的として塗装を施すことが好ましい。
管部材１０のサイズは特定のものに限定されることはないが、例えば図１（ａ）にも示した通り、以下の寸法を有する。
内径（ｄ）＝１．０ｍｍ
肉厚（ｔ）＝０．２５ｍｍ
高さ（ｈ）＝２．０ｍｍ
【００１４】
本考案において管部材１０は、頭部に残存した自毛をここに通した状態でペンチで押し潰す等して塑性変形させ、それによって自毛に固定できるものであれば足り、その材質は特定のものに限定されない。例えば、金属製の管部材を採用することができる。
【００１５】
図１（ｂ）に示すように、線材２０を管部材１０の内側に通して結び付けることで、線材２０を管部材１０に固定する。このときの結び目２１（第１結び目）は、管部材１０の肉厚部上に位置させることが好ましい。その理由は次の通りである。
（ア）仮に、結び目２１が管部材１０の内側に位置すると、後に自毛を管部材１０内に通し管部材１０を潰して固定する場合に、結び目２１によって隙間が生じ、その結果、固定力が低下する懸念がある。
（イ）仮に、結び目２１が管部材１０の外側に位置すると、管部材１０のエッジ（肉厚端）が露見し易くなるので好ましくない。
【００１６】
線材２０の両端は、第１結び目２１から外方に延びる延在部２５とされている。図１（ｃ）に示すように、線材２０の延在部２５に対して擬毛３０（人工毛または天然毛）が取り付けられる。擬毛３０の具体的な取付け態様は適宜選択することが可能で、適当に結び付けたり、接着剤を使用する等すればよい。図１（ｃ）では、図示を簡単にするため、擬毛３０の根本部分のみを示している。
【００１７】
なお、各延在部２５の自由端の近傍に、第２結び目２２を設けることが好ましい。この第２結び目２２は、延在部２５に取り付けた擬毛３０の脱落を防止する目的で設けられている。擬毛３０の脱落防止という観点では、結び目以外にも適宜の大径部分を設けるようにしてもよいが、結び目でこれを実現するのが簡便で好ましい。
なお、延在部２５に対する擬毛３０の取付けが十分強固である場合には、第２結び目２２（あるいは他の大径部分）は省略してもよい。
【００１８】
図１に示した例では、管部材１０に対して、１本の線材２０を結び着けている。ここで言う「１本の線材」とは、複数の線要素を撚り合わせて１本に構成した線材も含む意味である。図２（ａ）には、そのような意味において、線材を所定間隔で３本結び着けた例を示している。本考案において、管部材１０に結び着ける線材２０の本数は任意である。
【００１９】
複数本の線材２０を管部材１０に結び着ける場合、図２（ａ）に示したように、管部材の壁面上に延びる線材は互いにほぼ平行とするのが好ましい。その理由は、線材の向きを管部材１０に通される自毛の流れ方向に一致させて迷彩効果（隠蔽効果）を高めるためである。またその場合、複数の第１結び目２１は、管部材１０の肉厚部上に揃えて配置することが好ましい。その理由は、上記（ア）、（イ）で説明した通り、固定力の低下および露見を防止するためである。
【００２０】
図２（ｂ）では、管部材１０の壁面上で、線材２０同士が交差しているが、できればこれは避けた方がよい。図２（ａ）のように各線材が平行あるいは略平行である方が、各線材が頭髪地毛の流れ方向と一致して、高い迷彩効果（露見防止効果）を得ることができるからである（図３ａ参照）。
【００２１】
図２（ｃ）では、各線材の第１結び目２１の位置が不揃いであるが、これもできれば避けた方がよい。図２（ａ）のように各結び目２１の位置を合わせて、しかもそれらが管部材１０の肉厚部上に位置していることが好ましい。図３（ｂ）中の拡大図に良く示されるように、第１結び目２１が頭部側に位置する姿勢で管部材１０を頭部地毛に固定した場合に、当該第１結び目２１を起点として、擬毛３０が管部材１０の全体を良好に覆い隠すことができるからである。
【００２２】
《増毛具の装着方法》
以上に説明した増毛具について、頭部に残存する地毛に対する装着方法の一例を、図３を参照して以下に説明する。図３では、説明の便宜上、管部材１０の大きさを実際よりもかなり大きく示している。上述したように、管部材１０の実際のサイズは直径数ミリ程度である。
【００２３】
図３（ａ）に示したように、頭部に対する管部材１０の姿勢は、管部材１０上の第１結び目２１が頭部に近い側に位置させる。そして、頭部に残存する自毛を（例えば、１０〜１５本程）管部材１０に通した上で、ペンチ等の適当な手段で潰すように管部材１０を塑性変形させて固定する。
第１結び目２１が頭部に近い側に位置するので、図３（ｂ）に示したように、第１結び目２１を起点として擬毛３０が屈曲して垂れ下り、管部材１０の全体が良好に覆い隠される。これにより、第三者に管部材１０の存在が露見する可能性を低減することができる。
【００２４】
図３では、増毛具を１つだけ頭部に固定する状態を示しているが、残毛の程度および希望する増毛量に応じた数の増毛具が頭部に固定される。なお、説明を明確にするため、地毛および擬毛の本数は実際よりも少なく図示している。
【符号の説明】
【００２５】
１０  管部材
２０  線材
２１  第１結び目
２２  第２結び目
２５  延在部
３０  擬毛
【図１】
0003199415.tif 000003
【図２】
0003199415.tif 000004
【図３】
0003199415.tif 000005